(57)【要約】【課題】異常が生じた際のデータ再構築作業に関して時間的・人的負担を減らした伝送装置を提供する。【解決手段】上位制御装置16からの設定情報を保持する監視制御盤１ 18と、通信サービスを提供する主信号インタフェース部22, 11aとを含む伝送装置10において、監視制御盤２ 20を含み、監視制御盤１ 18は、設定情報を格納するバックアップメモリ24を含み、監視制御盤２ 20は、同一の設定情報を格納するバックアップメモリ26を含み、伝送装置10は、バックアップメモリ24, 26のうち使用可能なバックアップメモリを決定する制御部27を含み、決定結果に従って、バックアップメモリ24, 26のうちのいずれかに記憶されている設定情報を使用する。【選択図】図１
2006121309.tif 000002
【特許請求の範囲】
【請求項１】
上位制御部からの設定情報を保持する監視制御部と、通信サービスを提供する伝送部とを含む伝送装置において、
前記監視制御部は、第１の監視制御部と第２の監視制御部とを含み、
該第１の監視制御部は、前記設定情報を格納する第１の記憶手段を含み、
前記第２の監視制御部は、前記設定情報を格納する第２の記憶手段を含み、
該伝送装置は、前記第１および第２の記憶手段のうち使用可能な記憶手段を決定する決定部を含み、該決定結果に従って、前記第１および第２の記憶手段のうちのいずれかに記憶されている設定情報を使用することを特徴とする伝送装置。
【請求項２】
請求項１に記載の伝送装置において、前記決定部は、該装置に生じる可能性のある複数の立上原因を検知する検知手段を含み、該検知結果に応じて、前記第１および第２の記憶手段のうちのどちらに記憶されている設定情報を使用するかを決定することを特徴とする伝送装置。
【請求項３】
請求項１または２に記載の伝送装置において、前記決定部は、前記第１および第２の記憶手段の少なくとも一方の異常を検知する異常検知手段を含み、該検知結果により、前記第１および第２の記憶手段のうちのどちらに記憶されている設定情報を使用するかを決定することを特徴とする伝送装置。
【請求項４】
請求項１から３までのいずれかに記載の伝送装置において、前記第１および第２の記憶手段に格納されている前記設定情報はそれぞれ、前記上位制御部との通信に使用する設定情報と、前記通信サービスを提供するために必要な設定情報とに分離して管理されていることを特徴とする伝送装置。
【請求項５】
請求項４に記載の伝送装置において、前記決定部は、前記第１および第２の記憶手段の少なくとも一方の異常を検知する際に、前記上位制御部との通信に使用する設定情報と、前記通信サービスを提供するために必要な設定情報ごとに少なくとも一方の異常を検知し、各設定情報ごとに前記第１および第２の記憶手段のうちのどちらに記憶されている設定情報を使用するかを決定することを特徴とする伝送装置。
【請求項６】
上位制御部からの設定情報を保持する監視制御部と、通信サービスを提供する伝送部とを含む伝送装置のバックアップ方法において、
前記監視制御部に、第１の監視制御部と第２の監視制御部とを設ける工程と、
該第１の監視制御部の第１の記憶手段に前記設定情報を格納する工程と、
前記第２の監視制御部の第２の記憶手段に前記設定情報を格納する工程と、
前記第１および第２の記憶手段のうち使用可能な記憶手段を決定し、該決定結果に従って、前記第１および第２の記憶手段のうちのいずれかの設定情報を使用する工程とを含むことを特徴とする伝送装置のバックアップ方法。
【発明の詳細な説明】
【技術分野】
【０００１】
本発明は、伝送装置および該伝送装置のバックアップ方法に関するものであり、とくに、伝送装置におけるバックアップファイルの復旧方法に関するものである。
【背景技術】
【０００２】
ネットワークシステムにおいては、複数の伝送装置が伝送路で接続されてネットワークシステムを構成している。また、伝送装置は、それぞれ上位制御装置とLAN（ローカルエリアネットワーク）で接続されている。このようなネットワークシステムでは、信頼性や安全性の面から各伝送装置の立上げに必要なデータ、つまり、内蔵するハードウェアパッケージ等の設定及び状態のデータを、バックアップデータとしてバックアップすることが行われている。
【０００３】
バックアップの方法として特許文献１には、複数のネットワーク構成装置それぞれに、自ネットワーク構成装置の設定データと、伝送路で接続され互いに対向するネットワーク構成装置の設定データを保持するバックアップ記憶手段を有することが記載されている。自ネットワーク構成装置の設定データを対向するネットワーク構成装置のバックアップ記憶手段に保持するため、自ネットワーク構成装置のバックアップメモリやそのアクセス回路等のハードウエアに異常がある場合にも、設定データをバックアップすることができる。
【０００４】
【特許文献１】特開平１１−３１７７４５号公報
【発明の開示】
【発明が解決しようとする課題】
【０００５】
伝送装置の設定情報の基準データを保持するバックアップ記憶手段に異常が発生した際には、上位制御装置または対向するネットワーク構成装置からのデータダウンロードによる全データの再構築、もしくは、故障したパッケージの交換後に上位制御装置または対向するネットワーク構成装置からのデータ再構築が必要となる。ところが、これらの作業は以下に示す伝送装置の設置、保守方法の慣例から大きな問題点を生じる。
(1) 一般的に伝送装置は無人の局舎に設置されていることから、パッケージの交換作業は、無人の局舎まで作業者が行かなければならず、時間的・人的負担が大きな作業である。
(2) 保守運用上、監視制御部に異常が発生した場合には、該当監視制御部を含むパッケージに対するリセット操作による復旧を実施することが慣例化しており、このバックアップ記憶手段の異常発生中のパッケージリセットにより、パッケージ内の運用データが初期化され、これに伴い、上位制御装置からの制御に必要な装置固有情報(装置アドレス等)の消失を招く。
(3) 異常の復旧方法として装置内の制御のみで完結せず、上位制御装置からの全データの再構築を実施することは復旧作業の実施者に対する心理的負担が大きい。
【０００６】
このため、(a) パッケージ交換以外の異常復旧方法を可能とすること、および(b) 装置内の制御のみで完結する異常復旧方法を可能とすることが、保守作業の簡略化と、それに伴う異常状態継続時間の短時間化、保守手順の誤りによる異常の拡大防止、並びに作業実施者の心理的負担軽減による人員配置の最小化のために望まれる。
【０００７】
本発明は、異常が生じた際のデータ再構築作業に関して時間的・人的負担を減らした伝送装置を提供することを目的とする。
【課題を解決するための手段】
【０００８】
本発明は上述の課題を解決するために、上位制御部からの設定情報を保持する監視制御部と、通信サービスを提供する伝送部とを含む伝送装置において、監視制御部は、第１の監視制御部と第２の監視制御部とを含み、第１の監視制御部は、設定情報を格納する第１の記憶手段を含み、第２の監視制御部は、設定情報を格納する第２の記憶手段を含み、伝送装置は、第１および第２の記憶手段のうち使用可能な記憶手段を決定する決定部を含み、決定結果に従って、第１および第２の記憶手段のうちのいずれかに記憶されている設定情報を使用することとしたものである。
【０００９】
また本発明においては、決定部は、装置に生じる可能性のある複数の立上原因を検知する検知手段を含み、検知結果に応じて、第１および第２の記憶手段のうちのどちらに記憶されている設定情報を使用するかを決定することができる。
【００１０】
さらに、本発明では、決定部は、第１および第２の記憶手段の少なくとも一方の異常を検知する異常検知手段を含み、検知結果により、第１および第２の記憶手段のうちのどちらに記憶されている設定情報を使用するかを決定することとしてもよい。
【００１１】
ところで、第１および第２の記憶手段に格納されている設定情報はそれぞれ、上位制御部との通信に使用する設定情報と、通信サービスを提供するために必要な設定情報とに分離して管理されていることが好ましい。
【００１２】
そして、決定部は、第１および第２の記憶手段の少なくとも一方の異常を検知する際に、上位制御部との通信に使用する設定情報と、通信サービスを提供するために必要な設定情報ごとに少なくとも一方の異常を検知し、各設定情報ごとに第１および第２の記憶手段のうちのどちらに記憶されている設定情報を使用するかを決定することができる。
【００１３】
なお、本発明は、上位制御部からの設定情報を保持する監視制御部と、通信サービスを提供する伝送部とを含む伝送装置のバックアップ方法において、監視制御部に、第１の監視制御部と第２の監視制御部とを設ける工程と、第１の監視制御部の第１の記憶手段に設定情報を格納する工程と、第２の監視制御部の第２の記憶手段に設定情報を格納する工程と、第１および第２の記憶手段のうち使用可能な記憶手段を決定し、決定結果に従って、第１および第２の記憶手段のうちのいずれかの設定情報を使用する工程とを含むことができる。
【発明の効果】
【００１４】
本発明によれば、(1) パッケージ交換以外の異常復旧方法が可能となり、また(2) 装置内の制御のみで完結する異常復旧方法が可能となり、保守作業の簡略化と、それに伴う異常状態継続時間の短時間化、保守手順の誤りによる異常の拡大防止、並びに作業実施者の心理的負担軽減による人員配置の最小化が達成される。
【発明を実施するための最良の形態】
【００１５】
次に添付図面を参照して本発明による伝送装置の実施例を詳細に説明する。図１を参照すると、本発明による伝送装置10の実施例は、SDH伝送網を構成する装置であり、いわゆるモジュールＡ，Ｂ，Ｃの機能を一台の装置に含ませたものである。すなわち、伝送装置10は多重化機能と、中継伝送機能と、接続設定機能と、インタフェース変換機能を有する。ただし、本発明は、情報通信ネットワークを構成する装置一般に適用できるものである。
【００１６】
伝送装置10は、基本ユニット12と増設ユニット14を含む。伝送装置10は、最小の構成として基本ユニット12のみから構成され、通信量の増加に応じて、増設ユニット14を追加できる。また、通信量の増加に応じて、伝送装置10自体を追加することができる。
【００１７】
基本ユニット12は、上位制御部である上位制御装置（NE-OpS）16からの設定情報を保持する監視制御盤１(SV1) 18と、監視制御盤１(SV1) のバックアップの機能を有するとともに主信号インタフェース部22の設定を行なう監視制御盤２(SV2) 20と、通信サービスを提供する主信号インタフェース部22とを含む。増設ユニット14は、主信号インタフェース部22aの設定を行なう監視制御盤２(SV2) 20aと、通信サービスを提供する主信号インタフェース部22aとを含む。
【００１８】
監視制御盤１ 18、監視制御盤２ 20, 20a、主信号インタフェース部22, 22aは、それぞれ１つのパッケージ(スロット)であり、故障時はパッケージ単位で交換可能である。
【００１９】
上位制御装置16はオペレーションシステムを有し、オペレーションシステムにより、伝送装置10に対し設定や制御等を実施し、また装置構成情報等をデータベースとして持つ。監視制御盤１ 18は、伝送装置10全体の監視制御を行なう。主信号インタフェース部22, 22aは、多重化機能と、中継伝送機能と、接続設定機能と、インタフェース変換機能を有する。
【００２０】
監視制御盤１ 18は、上位制御装置16からの設定情報を格納する不揮発性メモリであるバックアップメモリ(BU)24を含み、監視制御盤２ 20は、監視制御盤１ 18を介して送られてくる上記設定情報を格納する揮発性記憶メモリであるバックアップメモリ(BUBU)26を含む。バックアップメモリ26は、バックアップメモリ24のバックアップ用である。バックアップメモリ24は、たとえばEEPROM (Electrically Erasable Programmable Read Only Memory)であり、バックアップメモリ26は、たとえばRAM (Random Access Memory)である。
【００２１】
監視制御盤１ 18のバックアップメモリ24には、不揮発性メモリを使用しているため、装置電源断等からの復旧の際には、バックアップメモリ24に格納されたデータで装置内の再設定を行うことができ、短時間で復旧を可能にする。復旧方法の詳細は後述する。
【００２２】
伝送装置10は、伝送装置10内で立上処理が必要になったときに、バックアップメモリ24, 26のうち使用可能なメモリを決定する制御部(CTL)27を含み、決定結果に従って、バックアップメモリ24, 26のうちのいずれかに記憶されている設定情報を使用する。
【００２３】
制御部27は、伝送装置10に生じる可能性のある複数の立上原因を検知する検知手段でもあり、検知結果に応じて、バックアップメモリ24, 26のうちのどちらに記憶されている設定情報を使用するかを決定する。また制御部27は、バックアップメモリ24, 26の少なくとも一方の異常を検知する異常検知手段であり、検知結果により、バックアップメモリ24, 26のうちのどちらに記憶されている設定情報を使用するかを決定する。
【００２４】
バックアップメモリ24, 26に格納されている設定情報はそれぞれ、上位制御装置16との通信に使用する設定情報と、通信サービスを提供するために必要な設定情報とに分離して管理されている。
【００２５】
伝送装置10を具体的に説明する。監視制御盤１ 18は、伝送装置10内に１つあり、制御部(CTL)27と、バックアップメモリ24と、BU制御用メモリ(BU-RAM)28と、運用メモリ(CM)30とを有する。制御部27は、上位制御装置16、他の伝送装置および伝送装置10の各部（監視制御盤２ 20, 20a、主信号インタフェース部22, 22a）と、たとえばLAN(ローカルエリアネットワーク)により接続されており、設定データ、制御データおよび状態データを送受信する。制御部27は具体的には、監視制御盤２ 20, 20aおよび主信号インタフェース部22, 22aの制御部32, 34, 32a, 34aとの間で送受信を行なう。
【００２６】
制御部27は、上位制御装置16から受信した設定データを、監視制御盤２ 20, 20aに対して設定するために、制御部32, 32aに送る。また、設定データをバックアップメモリ24、BU制御用メモリ28、運用メモリ30に保持する。バックアップメモリ24、BU制御用メモリ28、運用メモリ30は、同一の内容を保持する。
【００２７】
BU制御用メモリ28は、RAMであり、バックアップメモリ24より高速で動作し、バックアップメモリ24の内容と同一であるため、通常は、BU制御用メモリ28を使用して処理を行なう。運用メモリ30もRAMである。
【００２８】
上位制御装置16から制御部27が受信する設定データは、たとえば装置アドレス情報、基本ユニット登録情報、増設ユニット登録情報、ブロック登録情報、インタフェース(IF)登録情報、チャネル(CH)登録情報、パス情報、回線情報、クロスコネクト情報、冗長構成情報である。これらはバックアップメモリ24、BU制御用メモリ28、運用メモリ30に格納される。また同一の内容が制御部32を介してバックアップメモリ26に送られ、バックアップメモリ26はこれを格納する。
【００２９】
これらの情報のうち装置アドレス情報は、伝送装置10の制御部27が上位制御装置16とデータの送受信を行なうために必要な回線設定データであり、残りの情報は、通信サービスの提供のために必要な回線設定データである。
【００３０】
回線設定データは、制御部32, 32a, 34, 34aを介して運用メモリ36, 36a, 38, 38aに送られ、これらのメモリに格納される。具体的には、基本ユニット12の監視制御盤２ 20の運用メモリ36には、基本ユニット登録情報、ブロック登録情報、インタフェース登録情報、チャネル登録情報、パス情報、回線情報、クロスコネクト情報、冗長構成情報が格納される。
【００３１】
増設ユニット14の監視制御盤２ 20aの運用メモリ36aには、増設ユニット登録情報、ブロック登録情報、インタフェース登録情報、チャネル登録情報、パス情報、回線情報、クロスコネクト情報、冗長構成情報が格納される。
【００３２】
基本ユニット12および増設ユニット14の主信号インタフェース部22, 22aの運用メモリ38, 38aには、インタフェース登録情報、チャネル登録情報、パス情報、回線情報、クロスコネクト情報が格納される。
【００３３】
制御データは、各部の動作を制御するためのデータである。たとえば、所定のデータの送信、受信、格納を指示するデータである。状態データは、各部の状態を示すデータであり、たとえば電源のオン／オフ、リセットの有無、異常／正常を示すデータである。
【００３４】
電源のオン／オフデータの種類としては、伝送装置10全体の電源のオン／オフを示すデータ、パッケージごとの電源のオン／オフを示すデータがある。さらに、本実施例では、各パッケージが交換されてユニットに挿入されたときに、ユニットからただちに電源が供給されるため、挿入された直後に、パッケージが挿入されたことを示すデータも、電源のオン／オフデータの一種として生成され、各パッケージの制御部を介して制御部27に送られる。
【００３５】
リセットデータの種類としては、パッケージごとにその前面の表示盤に設けられたリセットボタンが押されたかどうかを示すデータ、上位制御装置による遠隔リセット制御、地気入力による遠隔リセット等を示すデータがある。
【００３６】
異常／正常を示すデータの種類としては、制御部がメモリに格納されているデータに関してチェックサムを用いた異常検査を行なった結果、異常があったことを示すデータや、制御部が伝送装置10の各部にアクセスしたにもかかわらず、その各部から制御部に対して応答が無いことから異常であると判断したことを示すデータがある。これらのデータには、異常があったメモリや各部を識別するための識別情報が含まれる。
【００３７】
制御部27は、伝送装置10内で立上処理が必要になったときに、バックアップメモリ24, 26のうち使用可能なメモリを決定する。立上処理が必要になるときとしては、本実施例では、以下の３ケースがある。監視制御盤１ 18の前面の表示盤に設けたリセットボタンを作業者が押したとき等の既述のリセットがなされたとき(以下では、「監視制御盤１リセット」と呼ぶ)、伝送装置10全体または監視制御盤１の電源スイッチがオンになったとき(以下では、「装置電源オン」または「監視制御盤１オン」と呼ぶ)、監視制御盤１ 18が基本ユニット12に挿入されたとき(すなわち監視制御盤１ 18が交換されたとき、以下では、「監視制御盤１交換」と呼ぶ)である。これらは、既述の電源のオン／オフデータ、リセットデータとして制御部27は記憶する。なお、本実施例では説明の簡単化のために、監視制御盤１ 18に関してリセットされるケースおよび電源がオンになるケースのみを考慮する。監視制御盤２ 20等がリセットまたはオンされるケースは考慮しない。
【００３８】
監視制御盤１ 18が基本ユニット12に挿入されたときは、基本ユニット12から監視制御盤１ 18に電源が供給され、制御部27はこれを検知して、監視制御盤１ 18が交換されたと判断する。
【００３９】
制御部27は、リセットボタンが押されたこと、または電源スイッチがオンになったこと、または監視制御盤１ 18が交換されたことを、電流または電圧の変化を検知する回路(図示せず)によりこれらを検知する。制御部27は、このようにして、伝送装置10に生じる可能性のある複数の立上原因を検知する。検知結果に応じて、バックアップメモリ24, 26のうちのどちらに記憶されている設定情報を使用するかを決定する。
【００４０】
すなわち、監視制御盤１オンのときはバックアップメモリ26、装置電源オンのときはバックアップメモリ24、監視制御盤１交換のときはバックアップメモリ26を用いる。監視制御盤１リセットのときは、制御部27はさらに、バックアップメモリ24, 26の少なくとも一方の異常の有無を検知し、検知結果により、バックアップメモリ24, 26のうちのどちらに記憶されている設定情報を使用するかを決定する。
【００４１】
異常を検知する方法は、既述のように種々ある。そして検知結果を異常／正常を示すデータとして制御部27は記憶する。異常の検知、および検知結果に応じた復旧処理の詳細は後述する。
【００４２】
監視制御盤２ 20は、各ユニットに１つずつ搭載され、監視制御盤１ 18から設定された各設定データを、さらに主信号インタフェース部（インタフェース(IF)盤、時間スイッチ(TSW)盤、空間スイッチ(SSW)盤から構成される）に対して設定を行う。これとともに運用メモリ（CM）に保持し、ユニット内の監視制御を実施する。
【００４３】
基本ユニット12に搭載される監視制御盤２ 20は、制御部32と、バックアップメモリ（BUBU）26と、運用メモリ36とを含む。基本ユニットの監視制御盤２ 20は、監視制御盤１ 18のバックアップメモリ24と同じ内容をバックアップメモリのバックアップメモリ26として保持し、監視制御盤１ 18の交換時等には、バックアップメモリ26よりバックアップメモリ24の内容を再構築する。増設ユニット12の監視制御盤２ 20aは、制御部32aと、運用メモリ36aとを含む。
【００４４】
制御部32, 32aは、他のパッケージの制御部とデータの送受信を行なう。運用メモリ36, 36aは、既述の情報を格納する。
【００４５】
バックアップメモリ24, 26に格納されている設定情報はそれぞれ、上位制御部との通信に使用する設定情報と、通信サービスを提供するために必要な設定情報とに分離して管理されている。これを図２により説明する。
【００４６】
図2(a)に示すように、バックアップメモリ24, 26に格納するデータを、上位制御装置との通信に必要な装置識別データ42と、情報通信サービスの提供に必要な回線設定データ44とに分離し、さらにデータ管理の方法に関しては、データのチェックSUMを求める方法を、全データに対して求める方法から、装置識別データ42と回線設定データ44のそれぞれについて求める方法とする。データSUM 46は、装置識別データ42のチェックSUMであり、データSUM 48は、回線識別データ44のチェックSUMである。全データを、装置識別データ42と回線設定データ44とに分離することにより、装置識別データ42と回線設定データ44のうち、正常なデータは上位制御装置16との間で送受信が不要になるため、上位制御装置16との通信量が減り、伝送装置10と上位制御装置16との間の通信状態が途絶する要因を低減することができる。
【００４７】
図2(b)は、全データに対してチェックSUMを求める方法を、図2(a)と比較するために示したものである。図2(b)では全データに対するチェックSUM 50のみを求める。なお、図2(a)でも、信頼性向上のため、全データに対するチェックSUM 50も求める。
【００４８】
主信号インタフェース部22, 22aは、それぞれ監視制御盤２ 20, 20aからの各設定データを運用メモリ38, 38aに保持し、伝送装置の主機能である通信サービスを提供する。主信号インタフェース部の運用メモリ38, 38aが破損もしくは消去した時は、通信サービスを提供できない状態に陥る。
【００４９】
主信号インタフェース部22, 22aは、制御部34, 34aと、運用メモリ38, 38aと、伝送部40, 40aとを含む。制御部34, 34aは、他のパッケージの制御部とデータの送受信を行なう。運用メモリ38, 38aは、既述の情報を格納する。
【００５０】
なお、バックアップメモリ24以外のバックアップメモリ26、BU制御メモリ28、運用メモリ30, 36, 36a, 38, 38aは、本実施例ではすべてRAMである。
【００５１】
次に本実施例の伝送装置における立上処理(復旧処理)について図３により説明する。図３は、立上処理フローを示す。本フローでは、基本ユニット12の監視制御盤２ 20に有するバックアップメモリ26を、監視制御盤１ 18のバックアップメモリ24に異常が発生した時のデータ再構築用データとして使用する。これにより、伝送装置10の基準データを擬似的な２重化構成とし、バックアップメモリ24に異常が発生したときの復旧方法を簡略化できる。
【００５２】
監視制御盤１ 18の立上処理について以下に詳述する。監視制御盤１ 18の立上処理が必要になるケースは、既述の３ケース、すなわち監視制御盤１リセット、電源オン(監視制御盤１オンと装置電源オン)、監視制御盤１交換の場合である。
【００５３】
制御部27は、これらの３ケースが生じたことを検知すると、立上処理を実行する(ステップS1)。制御部27は、監視制御盤１リセットであるかどうかを判断する(ステップS2)。監視制御盤１リセットでない場合(NOの場合)、すなわち監視制御盤１交換および監視制御盤１オンの場合は、バックアップメモリ26からのバックアップメモリ24の構築処理を実行し、装置電源オンの場合は、バックアップメモリ24からの立上げを実行する(ステップS3)。
【００５４】
監視制御盤１リセットの場合(YESの場合)、バックアップメモリ24の正常性を確認する。正常かどうかは、バックアップメモリ24内のデータのSUMを回線設定データ44および装置識別データ42ごとに求め、記憶されているデータSUM48, 46と一致するかどうかで確認する(ステップS4)。バックアップメモリ24が正常の場合(NOの場合)、バックアップメモリ24からの立上げを実行する(ステップS5)。
【００５５】
バックアップメモリ24が異常の場合(YESの場合)、バックアップメモリ24の装置識別データ42(装置識別BU)と回線設定データ44(回線部BU)のうち少なくとも一方が異常であるということである。このときに、装置識別BUと回線部BUが、バックアップメモリ26の装置識別データ42(装置識別BUBU)と回線設定データ44(回線部BUBU)により復旧できる場合がある。すなわち「回線部BU:異常、装置識別BU:正常、回線部BUBU:正常、装置識別BUBU: D.C.(don’t care；正常異常に係わらずの意)」(ステップS6)の場合、「回線部BU:正常、装置識別BU:異常、回線部BUBU: D.C.、装置識別BUBU: 正常」(ステップS7)の場合、「回線部BU:異常、装置識別BU:異常、回線部BUBU:正常、装置識別BUBU:正常」(ステップS8)の場合である。
【００５６】
このときは正常なバックアップメモリ26からの再構築をステップS6, S7, S8に応じて、それぞれ実行する(ステップS9, S10, S11)。すなわち、ステップS6の場合は、回線部BUBUの内容を転送することにより、回線部BUを再構築する。装置識別BUは正常なので保持したままである(ステップS9)。ステップS7の場合は、装置識別BUBUの内容を転送することにより、装置識別BUを再構築する。回線部BUは正常なので保持したままである(ステップS10)。ステップS8の場合は、回線部BUBUの内容を転送することにより、回線部BUを再構築し、装置識別BUBUの内容を転送することにより、装置識別BUを再構築する(ステップS11)。こうしてバックアップメモリ24を正常化した後、バックアップメモリ24からの立上処理を実行する(ステップS12)。
【００５７】
ステップS12におけるバックアップメモリ24からの立上処理を図４により説明する。監視制御盤１のバックアップメモリ24の内容を、そのままBU制御用メモリ28と運用メモリ30に転送する((1))。次に、運用メモリ30の内容を監視制御盤２ 20のバックアップメモリ26と運用メモリ36、監視制御盤２ 20aの運用メモリ36aに転送する((2))。監視制御盤２ 20の運用メモリ36の内容を主信号インタフェース部22の運用メモリ38に転送する。監視制御盤２ 20aの運用メモリ36aの内容を主信号インタフェース部22aの運用メモリ38aに転送する。((3))。なお、ステップS5のバックアップメモリ24からの立上処理もステップS12と同様である。これにより、装置の立上は完了する(ステップS14)。
【００５８】
図３に戻って、バックアップメモリ24が異常の場合(YESの場合)であって、バックアップメモリ24の装置識別データ42(装置識別BU)と回線設定データ44(回線部BU)の両方が異常で、かつ、バックアップメモリ26の回線設定データ44(回線部BUBU)も異常であるが、バックアップメモリ26の装置識別データ42(装置識別BUBU)が正常であるときは(ステップS16)、装置識別BUBUから装置識別BUを再構築する(ステップS18)。回線設定データ44に関しては、上位制御装置からのデータダウンロード待ち状態で立上処理は完了する(ステップS20)。このとき、主信号インタフェース部の運用メモリの変更は行なわれていないため、情報通信サービスの提供に影響は発生しない。この状態においては、上位制御装置との通信は確保されているから、立上処理完了後、上位制御装置からのデータダウンロードは即時に実行可能である。
【００５９】
バックアップメモリ24が異常の場合(YESの場合)であって、全てのバックアップメモリ24、バックアップメモリ26が異常である場合（装置識別BU、回線部BU、回線部BUBU、装置識別BUBUが異常である場合)、上位制御装置からのデータダウンロード待ち状態に移行して、上位制御装置から装置識別BU、回線部BUを受信する。主信号インタフェース部の運用メモリの変更はこの場合も行なわれないため、通信サービスの提供に影響は発生しない。ただし、伝送装置10には正常なバックアップメモリ24、26が存在しない可能性が高いため(故障している可能性が高いため)、監視制御盤１、監視制御盤２を交換し、装置識別BUを保守者が設定した後、上位制御装置からのデータダウンロードを実施する必要がある(ステップS22)。
【００６０】
以上のようにバックアップメモリ24に異常が発生した場合においても、通常、保守者が実施する監視制御盤１に対するリセット処理において、伝送装置10内の情報を用いた復旧が実施できる。また、装置識別BU、および装置識別BUBUは、回線部BUに対して情報量が少なく、そのためエラーが発生することが少なく信頼性が向上するとともに、バックアップメモリ26が、バックアップメモリ24異常時のバックアップの機能を有するから全体の信頼性が格段に向上する。
【００６１】
本発明によれば、伝送装置の基準データを保持する監視制御盤１のバックアップメモリ24に異常が発生した際に、(1)上位制御装置からのデータダウンロードによる全データの再構築を行なうか、もしくは、(2)監視制御盤１を交換して、その後バックアップメモリ26からのデータ再構築を行なうという、２つの選択肢しかない場合に比べて、異常が生じた際のデータ再構築作業に関して時間的・人的負担を減らすことができる。
【図面の簡単な説明】
【００６２】
【図１】本発明による伝送装置の一実施例を示す構成図である。
【図２】本発明によるバックアップメモリの構成を示す図である。
【図３】本発明による伝送装置における復旧処理のフロー図である。
【図４】本発明によるバックアップメモリからの立上処理フロー図である。
【符号の説明】
【００６３】
10  伝送装置
12  基本ユニット
14  増設ユニット
16  上位制御装置
18  監視制御盤１
20, 20a  監視制御盤２
22, 22a  主信号インタフェース部
24  バックアップメモリ
26  バックアップメモリ
28  BU制御メモリ
30, 36, 36a, 38, 38a  運用メモリ
【図１】
2006121309.tif 000003
【図２】
2006121309.tif 000004
【図３】
2006121309.tif 000005
【図４】
2006121309.tif 000006